(57)【要約】  【課題】特に通学途上などにおける防犯ベルの携帯性にすぐれ、緊急に際して学童でも防犯ベル直ちに操作することができ、相手に防犯ベルを見やすくすることで犯罪を予防する上でも有効な防犯ベル収容ケース及び該ケースを取り付けたランドセルを提供する。  【解決手段】上端部に開口１１を有する防犯ベル５０を収容するための袋部１２と、開口１１を覆うための蓋部１４とを有し、蓋部１４は袋部１２の前面で開閉可能とされ、袋部１２の少なくとも前面の一部が網目１４で形成され、網目１４の部分から防犯ベル５０の操作ボタン５２の操作及び位置確認を可能にした防犯ベース収容ケース１０、及び該ケースを背負いベルトに取り付けたランドセル１００。【選択図】                図１
2006051186.tif 000002
【特許請求の範囲】
【請求項１】
上端部に開口を有する防犯ベルを収容するための袋部と前記開口を覆うために前記袋部の背面から折り返された蓋部とを有し、前記蓋部は前記袋部の前面に対して着脱可能とされ、前記袋部の少なくとも前面の一部が網目で形成され、前記網目の部分から防犯ベルの操作ボタンの操作及び位置確認が可能であることを特徴とする防犯ベル収容ケース。
【請求項２】
前記網目のメッシュは前記操作ボタンの広さと同等もしくは若干大きいことを特徴とする請求項１に記載の防犯ベル収容ケース。
【請求項３】
前記脱着手段として、ボタンとボタン孔、ホック、チャックあるいはマジックテープを使用することを特徴とする請求項１又は２に記載の防犯ベル収容ケース。
【請求項４】
前記袋部の底部の角隅部に、収容された防犯ベルの操作紐を外部から操作可能に引き出すための孔を形成することを特徴とする請求項１〜３のいずれかに記載の防犯ベル収容ケース。
【請求項５】
上端部に開口を有する防犯ベルを収容するための袋部と前記開口を覆うために前記袋部の背面から折り返された蓋部とを有し、前記蓋部は前記袋部の前面に対して着脱可能とされ、前記袋部の少なくとも前面の一部が網目で形成され、前記網目の部分から防犯ベルの操作ボタンの操作及び位置確認が可能にされた防犯ベル収容ケースを、背負いベルトに取り付けることを特徴とするランドセル。
【請求項６】
前記防犯ベル収容ケースが、前記背負いベルトの、ランドセルを背負ったときに前面となる部位に、前記網目の部分から前記操作ボタンを操作できる状態で取り付けられることを特徴とする請求項５に記載のランドセル。
【請求項７】
前記背負いベルトに、請求項２〜４のいずれか１項に記載の防犯ベル収容ケースが取り付けられることを特徴とする請求項５又は６に記載のランドセル。
【請求項８】
前記袋部の背面に帯部材の両端部を固着することにより、該帯部材と前記袋部との間にランドセルの背負いベルトを挿通し、該背負いベルトに取り付け可能にしたことを特徴とする請求項１〜４のいずれか１項に記載の防犯ベル収容ケース。
【発明の詳細な説明】
【技術分野】
【０００１】
本発明は、防犯ベルを携帯可能な状態で収容するための防犯ベル収容ケース及び該ケースを取り付けたランドセルに関する。
【背景技術】
【０００２】
犯罪者から身を護る道具として携帯型の防犯ベルが普及している。その中でも、子供を犯罪者から護ることは特に重要なことであり、その緊急性を叫ばれている。そこで、通学途上の学童を護る観点から、学童に防犯ベルを持たせることが一般的に行われるようになってきた。
【発明の開示】
【発明が解決しようとする課題】
【０００３】
しかしながら、防犯ベルをボケットに入れたり、首にぶら下げたりする従来の防犯ベルの携帯方法では、特に学童の場合、学校内で種々の活動をしたり、活発に動き回ることが多いことから、学校内では机の中などの所定の場所に置いておくことが一般的である。また、活発に動き回ることは通学途上でも同様であり、従来の携帯方法では、持ち運びに不便であり、置き忘れたり、紛失することが多いという解決すべき課題があった。
【０００４】
本発明はこのような事情に鑑みてなされたものであり、本発明の目的は、特に通学途上などにおける防犯ベルの携帯性にすぐれ、緊急に際して学童などでも防犯ベルを直ちに操作することができ、相手に防犯ベルを見やすくすることで犯罪を予防する上でも有効な防犯ベル収容ケース及び該ケースを取り付けたランドセルを提供することである。
【課題を解決するための手段】
【０００５】
本発明による防犯ベル収容ケースは、上記目的を達成するため、上端部に開口を有する防犯ベルを収容するための袋部と前記開口を覆うために前記袋部の背面から折り返された蓋部とを有し、前記蓋部は前記袋部の前面に対して着脱可能とされ、前記袋部の少なくとも前面の一部が網目で形成され、前記網目の部分から防犯ベルの操作ボタンの操作及び位置確認が可能であることを特徴とする。
【０００６】
本発明による防犯ベル収容ケースを取り付けたランドセルは、上記目的を達成するため、上端部に開口を有する防犯ベルを収容するための袋部と前記開口を覆うために前記袋部の背面から折り返された蓋部とを有し、前記蓋部は前記袋部の前面に対して着脱可能とされ、前記袋部の少なくとも前面の一部が網目で形成され、前記網目の部分から防犯ベルの操作ボタンの操作及び位置確認が可能にされた防犯ベル収容ケースを、背負いベルトに取り付けることを特徴とする。
【発明の効果】
【０００７】
本発明の防犯ベル収容ケースによれば、網目を通して操作及び位置確認ができるような袋部に防犯ベルを収容する構成とするので、該袋部から成る防犯ベル収容ケースをランドセルの背負いベルトの前面に取り付けることで、特に通学途上などにおける防犯ベルの携帯性にすぐれ、緊急に際して学童などでも防犯ベルを直ちに操作することができ、相手に防犯ベルを見やすくすることで犯罪を予防する上でも有効な防犯ベル収容ケースが提供される。
【０００８】
本発明の防犯ベル収容ケースを取り付けたランドセルによれば、特に通学途上などにおける防犯ベルの携帯性にすぐれ、緊急に際して学童などでも防犯ベルを直ちに操作することができ、相手に防犯ベルを見やすくすることで犯罪を予防する上でも有効な防犯ベル収容ケースを取り付けたランドセルが提供される。
【発明を実施するための最良の形態】
【０００９】
以下、図面を参照して本発明の実施形態を具体的に説明する。なお、各図面を通して同一符号は同一又は対応部分を示すものである。図１は本発明の一実施形態に係る防犯ベル収容ケースを示す正面図であり、図２は図１中の線２−２から見た側面図であり、図３は図１中の線３−３から見た下面図である。図４は図１〜３の防犯ベル収容ケースに収容するのに適した防犯ベルを示す正面図であり、図５は図４中の線５−５から見た側面図である。
【００１０】
図１〜図５において、防犯ベル収容ケース１０は、上端部に開口１１を有する袋部１２と開口１１を覆うための蓋部１４とを有しており、袋部１２内に防犯ベル５０が所定の姿勢で収容されるような大きさ及び形状を有している。本実施形態では、蓋部１４は袋部１２の背面から折り返されるように袋部１２と一体的に形成されている。この蓋部１４は、袋部１２と同一材料の一枚もので形成して良く、あるいは、別のシート材に作製したものを縫製や溶着等で一体化したものであっても良い。この蓋部１４は、防犯ベル５０を袋部１２の内部に収容した状態で、該袋部１２の上端部の開口１１を覆うためのものである。そして、蓋部１４は、その先端近傍の部位で、袋部１２の前面の上部近傍の部位に対して、ボタンとボタン孔、ホック、チャックあるいはマジックテープ等の脱着手段によって着脱（開閉）することができる。
【００１１】
防犯ベル５０には種々の形状及び大きさのものがあり、図４及び図５はその一例を示す。この防犯ベル５０は、一般に、片手の掌で持てる程度の大きさのものであり、図示の例では略直方体をしている。防犯ベル５０の前面には、防犯ベルを鳴らすための操作ボタン５２が配置されており、さらに、前面及びその近傍の内部には、内部のスピーカーで発生させた警告音を効率よく外部へ放射するためのマイクロホン５４が設けられている。また、防犯ベルには異なる形態のものがあり、例えば、操作ボタン５２に代えて、あるいは操作ボタン５２と共に、前記警告音を発生させる際に使用者が引っ張ってスイッチオンするための操作紐５６を使用する形態のものがある。また、図示の防犯ベル５０では、その上端部に吊り紐を連結するための係合部５８が形成されている。
【００１２】
袋部１２の少なくとも前面の一部は網目１６が形成されており、収容された防犯ベル５０を外から確認できるようになっている。また、この網目１６の部分からは、防犯ベル５０の操作ボタン５２の位置を確認することができ、該網目１６を通して該操作ボタン５２を操作することで確実に防犯ベル５０を作動させることができる。防犯ベル５０の前記マイクロホン５４からはかなり大きな警告音が発せられる。なお、図示の例では、防犯ベル５０のマイクロホン５４の前の孔明き部分も前記網目１６の範囲内に位置している。また、網目１６のメッシュは、比較的大きくすることが好ましく、本実施形態では、例えば、操作ボタン５２の広さと同等もしくは若干大きい程度に選定されている。
【００１３】
さらに、袋部１２の底部には、前述の紐５６で操作するタイプの防犯ベルにも適用できるように、防犯ベルの操作紐５６を外部から操作できるように引き出すための孔２２が形成されている。図示の例では、前記孔２２は、袋部１２の底部の両側（２箇所）に形成されている。ボタン５２のみで操作する防犯ベルを収容するだけであれば、前記孔２２は省略しても良い。前記袋部１２の材質としては、布やプラスチックシートなど、所望の引っ張り強度を有するものであれば種々のものを使用できる。また、この袋部１２は、縫製によって製造することもできるが、プラスチックの場合はブロー成形などの方法で一体成形することもできる。
【００１４】
図６は本発明を適用した防犯ベルケースを取り付けたランドセルを示す斜視図であり、図７は本発明を適用した防犯ベル収容ケースが取り付けられたランドセルを背負った人の状態を示す斜視図である。以上説明した防犯ベル収容ケース１０は、図６及び図７に示すように、学童が使用するランドセル１００に取り付けられるものであり、ランドセル１００を背負ったときに背負いベルト１０２の前面となる部位に、前記網目１６の部分から前記操作ボタン５２を操作できる状態で取り付けられる。また、防犯ベル収容ケース１０は、ランドセル１００を背負ったときに、網目１６からその内部を見通すことができる状態、つまり、防犯ベル収容ケース１０の内部に防犯ベル５０が収容されているかことを、他人が視認できる状態で取り付けられている。
【００１５】
本実施形態では、図１〜図３に示すように、防犯ベル収容ケース１０の袋部１２の周縁部の適当な複数箇所（図示の例では３箇所）に、防犯ベル収容ケース１０をランドセル１００等の背負いベルト１０２に縫製や溶着によって一体的に取り付けるための取り付け部１８が形成されている。この防犯ベル収容ケース１０をランドセル１００の背負いベルト１０２に取り付ける方法としては、一般的には、外れないように、縫い付けや溶着などで固着することが好ましい。しかし、場合によっては、背負いベルト１０２紐で縛りつけたり、ボタンやホックあるいはマジックテープ等で着脱可能に取り付けても良い。
【００１６】
また、図１〜図３で説明したような防犯ベル収容ケース１０は、既にランドセルを使用しているユーザーの場合は、新たに防犯ベル収容ケース１０のみを用意し、これをユーザー自身で、使用しているランドセル等の背負いベルト１０２に対し取り付ける場合が予想される。一方、背負いベルト１０２には、学童の背丈の差を考慮して途中に分離可能な長さ調節部１０３が設けられている。この長さ調節部１０３は、ズボンで使用されるベルトの場合と同様、一方のベルト部分の調節範囲に所定ピッチであけられた複数のベルト孔と、他方のベルト部分に取り付けられた掛け止めピンを有するバックルとで構成されている。
【００１７】
図８は、既に使用しているランドセルにユーザーが容易に取り付けることができる防犯ベル収容ケース１０の背面を示す背面図である。図８において、防犯ベル収容ケース１０の袋部１２の背面（裏面）には、丈夫な布又はプラスチック、あるいは伸縮可能なゴム又は布ゴム等から成る帯部材１０４をたすき掛け配置の状態でそれらの端部が固着（縫い付け、溶着等）され、各帯部材１０４が収容ケース１０の袋部１２の背面に密着又はほぼ密着する状態（タイトな状態）で固着されている。そして、既存のランドセルに新たに防犯ベル収容ケース１０を取り付ける場合は、前記長さ調節部１０３を分離し、いずれかの分離端部を前記たすき掛け配置の帯部材１０４の下側に挿通し後、再び長さ調節部１０３を結合する。前記帯部材１０４を伸縮可能なゴム状部材で形成しておけば、背負いベルト１０２に挿通された防犯ベル収容ケース１０を帯部材１０４の挟圧力（弾性挟圧力など）で所定位置に固定することができる。なお、本実施形態では、帯部材１０４をたすき掛け配置にしたが、この帯部材１０４の配置や数は、背負いベルと１０２を挿通できる構成であれば、自由に選択できるものである。
【００１８】
そして、取り付けられた防犯ベル収容ケース１０を背負いベルト１０２に沿って移動させることで所定の位置に保持される。なお、ランドセル１００の背負いベルト１０２は、一般に、背負ったときに前側になる部分では高い部位ほど幅が広くなるように形成されている。従って、たすき掛け配置の帯部材１０４の裏面側に背負いベルト１０２を挿通した後、防犯ベル収容ケース１０を上方へずらしていくことで、該防犯ベル収容ケース１０を背負いベルト１０２に一層タイトな状態（一種のくさび効果を利用した圧入装着の状態）で所定の位置に固定することができる。なお、帯部材１０４をタスキ掛け状態で配置した理由は、防犯ベル収容ケース１０を腰ベルトや腰紐（背負いベルトとは異なる水平方向のベルト）にも容易に挿通できるようにするためである。
【００１９】
さらに、防犯ベル収容ケース１０を取り付ける位置も、背負いベルト１０２の表面であれば自由に選択することができ、左右いずれの背負いベルトに取り付けても良く、場合によっては両側の背負いベルトに取り付けても良い。また、本発明による防犯ベル収容ケース１０は、背負いベルトを有するものであれば、ランドセルの他に、背負いカバンやリュックサイックや背負い袋などの種々の背負い物の背負いベルトに取り付けて使用できるものである。
【００２０】
以上説明した実施形態によれば、学童が通学中に背負うランドセル１００、あるいはその他の背負い物（背負いカバン、背負う袋、リュックサックなど）の背負い物の背負いベルトに取り付けられた防犯ベル収容ケース１０に防犯ベル５０を収容する構成としたので、学童の保護が最も要請される通学中などでは防犯ベル５０をほぼ確実に携帯しているとになり、学童などを効率よく効果的に保護することが可能となる。
【００２１】
また、防犯ベルを収容する袋部１２の前面に網目１６を設け、操作ボタン１２が網目１６の範囲内にくるようにするとともに、網目１６のメッシュを操作ボタン５２の広さと同等もしくは若干大きくするので、防犯ベル５０及びその操作ボタン５２を容易に確認することでき、防犯ベル５０を確実かつ迅速に作動させることができると共に、相手に防犯ベル１０を見やすくすることで携帯者に対する防犯効果を一層向上させることができる。
さらに、袋部１２の底部の角隅部に、収容された防犯ベルの操作紐を外部から操作可能に引き出すための孔２２を形成するので、紐で操作する他の形態の防犯ベルに対しても同様に適用することが可能である。
【図面の簡単な説明】
【００２２】
【図１】本発明の一実施形態に係る防犯ベル収容ケースを示す正面図である。
【図２】図１中の線２−２から見た側面図である。
【図３】図１中の線３−３から見た下面図である。
【図４】図１の防犯ベル収容ケースに収容するのに適した防犯ベルを示す正面図である。
【図５】図４中の線５−５から見た側面図である。
【図６】本発明による防犯ベルケースを取り付けたランドセルを示す斜視図である。
【図７】本発明による防犯ベル収容ケースを取り付けたランドセルを背負った人を示す概略斜視図である。
【図８】本発明の一実施形態に係る防犯収容ケースの背面に背負いベルトをタイトな状態で挿通するためにたすき掛け配置された帯部材の配置を示す模式的背面図である。
【符号の説明】
【００２３】
１０    防犯ベル収容ケース
１１    開口
１２    袋部
１４    蓋部
１６    網目
１８    取り付け部
２２    孔
５０    防犯ベル
５２    操作ボタン
５４    マイクロホン
５６    操作紐
５８    係合部
１００  ランドセル
１０２  背負いベルト
１０３  背負いベルトの長さ調節部
１０４  帯部材
【図１】
2006051186.tif 000003
【図２】
2006051186.tif 000004
【図３】
2006051186.tif 000005
【図４】
2006051186.tif 000006
【図５】
2006051186.tif 000007
【図６】
2006051186.tif 000008
【図７】
2006051186.tif 000009
【図８】
2006051186.tif 000010